(57)【特許請求の範囲】
【請求項１】
テスト箱を含み、前記テスト箱の中にはテスト機構が設置され、前記テスト箱の上端面にはテストブロックが固定され、前記テストブロックの中にはヘルメットに衝撃を発生させる発生機構が設置され、前記テストブロックの中には駆動空間が設置され、前記駆動空間には、前記発生機構の作動に動力を供給できる駆動機構が設置され、前記駆動空間の中にはまた前記駆動機構に異なる動力出力を発生させることを制御する制御機構が設置され、
前記駆動機構はモーター及び前記モーターと伝動できるように連結される駆動軸を含み、前記駆動空間の中にはまた昇降ブロック及び固定ブロックが設置され、前記昇降ブロックと前記固定ブロックとはいずれも前記駆動軸の下端に貫通され、前記昇降ブロックの中には前記駆動軸に貫通される伝動空間が設置され、前記伝動空間の中には前記駆動軸とスライドできるように連結される軸スリーブが設置され、前記軸スリーブにはカムが固定され、前記軸スリーブの上側には環状ブロックが設置され、且つ前記環状ブロックと前記軸スリーブとは二つの支えばねによって連結され、前記軸スリーブの中には押し動かし溝が形成され、前記押し動かし溝の中には電磁石及び前記電磁石と吸引し合う台形ブロックが設置され、前記台形ブロックの右端は前記駆動軸とネジ山によって連結されることができ、前記環状ブロックの下端面には下端が前記押し動かし溝の中に位置し、且つ前記台形ブロックと接触するプレスロッドが固定され、前記固定ブロックの中には前記駆動軸の下端に貫通される回転空間が設置され、前記回転空間の中には前記駆動軸とスライドできるように連結されるロープ巻き車輪が設置され、前記ロープ巻き車輪にはロープが巻き付いており、前記制御機構によって前記駆動機構に異なる作動をさせることで、前記発生機構が同じ動作を行うが、ヘルメットに対する異なる衝撃力を与えられ、従って、前記テスト箱の設計高度を抑えられ、
前記テスト機構は右方に開口したテスト空間を含み、前記テスト空間の下端壁には支えブロックが固定され、前記支えブロックの上端にはセンサーが植設され、前記支えブロックの上端にはヘルメットを取り付けることができ、前記テスト空間の中には右端が外部空間の中に位置する回しブロックが設置され、前記回しブロックの左端の中には閉鎖板が設置され、
前記発生機構は昇降空間を含み、前記昇降空間の右端壁の中には前記昇降空間に連通する従動空間が設置され、前記従動空間の下端壁は前記テスト空間に連通し、前記従動空間の中には左端が前記昇降空間の中に位置する昇降板が設置され、前記昇降板の中には前記従動空間と前記昇降空間とを連通する位置制限空間が設置され、前記位置制限空間の中には位置制限ブロックが設置され、前記位置制限ブロックの下端には衝撃ブロックが設置され、前記昇降空間の中にはスライドブロック及び前記スライドブロックと前記昇降空間の右端壁を連結する昇降ばねが設置され、前記スライドブロックの右端には右端が前記昇降板の上端と連結される鎖が連結され、前記スライドブロックの中には前方に開口したスライド溝が形成され、前記スライドブロックの上側には三つのばねブロックが設置され、前記ばねブロックと前記スライドブロックとは二つの伸縮ばねによって連結され、且つ三つの前記伸縮ばねの最大の伸縮量は異なり、前記テストブロックの右端面にはディスプレイスクリーンが固定され、前記テストブロックの中にはまた下方に開口し、且つ前記テスト空間に連通する収納空間が設置され、前記閉鎖板の上端は前記収納空間の中に位置しており、
前記駆動機構はまた右方に開口した移動空間を含み、前記昇降ブロックと前記固定ブロックの右端はいずれも前記昇降空間の中に位置し、前記移動空間の中には右端が前記昇降空間の中に位置する移動ロッドが設置され、前記移動ロッドの右端には移動ブロックが固定され、前記移動ブロックの中には後方に開口した電磁空間が設置され、前記電磁空間の前端壁には第一電磁石が固定され、前記電磁空間の中にはまた後端が前記昇降空間の中に位置する第二電磁石が設置され、前記回転空間の右端壁の中には右方に開口したばね空間が設置され、前記ばね空間の中には右端が前記昇降空間の中に位置するばねロッド及び前記ばねロッドを復帰させることができる圧縮ばねが設置され、前記ロープの右端は前記ばねロッドの左端と連結され、前記ばねロッドの右端の後側は前記スライド溝の中に位置し、且つ前記ばねロッドの右端の後側には上端が前記移動ブロックと連結される伸縮板が固定され、
前記制御機構は下端が前記伝動空間を貫通し、且つ前記回転空間の中に位置する制御板を含み、前記回転空間の左端壁には前記制御板と反発し合うこと又は前記制御板と吸引し合うことができる第三電磁石が固定され、前記制御板の中には右方に開口した平行移動空間が設置され、前記平行移動空間の中には右端が前記ロープ巻き車輪の左端と噛み合うことができるラックブロックが設置され、前記平行移動空間の上端壁の中には持ち上げ空間が設置され、前記ラックブロックと前記平行移動空間の後端壁とは平行移動ばねによって連結され、前記ラックブロックの中には上方に開口した位置制限溝が形成され、前記持ち上げ空間の中には持ち上げ板が設置され、前記持ち上げ板の下端面には下端が前記位置制限溝の中に位置する持ち上げブロックが固定され、前記ラックブロックの前端には制限板が固定され、前記持ち上げ空間の上端壁の中には上方に開口し、且つ右端壁が前記駆動空間及び前記伝動空間に連通する制限空間が設置され、前記制限空間の中には制限ブロックが設置され、前記制限ブロックの下端には下端が前記ラックブロックの後端と連結される弾性縄が固定され、前記制限ブロックの下端にはまた下端が前記持ち上げ板と連結される細紐が固定され、前記制限ブロックの右端面には右端が前記伝動空間の中に位置する台形板が固定されていることを特徴とする安全ヘルメット性能のテスト装置。
【請求項２】
前記弾性縄の弾力と前記圧縮ばねの弾力との和は前記ロープ巻き車輪と前記駆動軸との摩擦力より遥かに大きいことを特徴とする請求項１に記載の安全ヘルメット性能のテスト装置。
【請求項３】
前記ロープ巻き車輪と前記駆動軸との摩擦力は前記圧縮ばねの弾力より遥かに大きいことを特徴とする請求項１に記載の安全ヘルメット性能のテスト装置。
【請求項４】
前記伸縮ばねは引き伸ばされた後、前記ばねロッドと前記スライドブロックとの摩擦力は前記スライドブロックと前記昇降空間の下端壁との摩擦力と前記昇降ばねの弾力との和より遥かに大きく、前記昇降ばねの弾力は前記スライドブロックと前記昇降空間の下端壁との摩擦力と、前記昇降板の重力と、前記位置制限ブロックの重力と、前記衝撃ブロックの重力との和より遥かに大きいことを特徴とする請求項１に記載の安全ヘルメット性能のテスト装置。
【発明の詳細な説明】
【技術分野】
【０００１】
本発明はテスト分野に関わり、具体的には安全ヘルメット性能のテスト装置である。
【背景技術】
【０００２】
ヘルメットは人がサイクリングの時に、頭部を保護するための重要な道具であり、そのの品質は特に重要となり、ヘルメットを作り出した後、一般的にサンプリングして安全性能を検査し、それによってヘルメットの品質を保証する。
現段階、ヘルメットに衝撃試験を行うことによって、ヘルメットの安全性能をテストするのであり、しかし多数の衝撃試験は高所から自由に落下する重物を利用してヘルメットを衝撃するのであり、異なる衝撃力が必要となり、こうして異なる高さも需要となり、多数の衝撃試験装置はいずれも高度が高く、体型が大きく、室内に運搬することも不便で、且つ一部の衝撃試験装置は人の協力を借りてテストを行うのであり、テストの効率は低い。
【先行技術文献】
【特許文献】
【０００３】
【特許文献１】中国特許出願公開第１０９０６０５６３号明細書
【発明の概要】
【発明が解決しようとする課題】
【０００４】
本発明の解決しようとする技術的な問題は安全ヘルメット性能のテスト装置を提供し、テスト装置が需要な高度が高い問題及びテストの効率が低いなどの問題を解決し、テストの効率を高める。
【課題を解決するための手段】
【０００５】
本発明は以下の技術プランによって実現される。
【０００６】
本発明の安全ヘルメット性能のテスト装置はテスト箱を含み、前記テスト箱の中にはテスト機構が設置され、前記テスト箱の上端面にはテストブロックが固定され、前記テストブロックの中にはヘルメットに衝撃を発生させる発生機構が設置され、前記テストブロックの中には駆動空間が設置され、前記駆動空間には、前記発生機構の作動に動力を供給できる駆動機構が設置され、前記駆動空間の中にはまた前記駆動機構に異なる動力出力を発生させることを制御する制御機構が設置されている。
【０００７】
前記駆動機構はモーター及び前記モーターと伝動できるように連結される駆動軸を含み、前記駆動空間の中にはまた昇降ブロック及び固定ブロックが設置され、前記昇降ブロックと前記固定ブロックとはいずれも前記駆動軸の下端に貫通され、前記昇降ブロックの中には前記駆動軸に貫通される伝動空間が設置され、前記伝動空間の中には前記駆動軸とスライドできるように連結される軸スリーブが設置され、前記軸スリーブにはカムが固定され、前記軸スリーブの上側には環状ブロックが設置され、且つ前記環状ブロックと前記軸スリーブとは二つの支えばねによって連結され、前記軸スリーブの中には押し動かし溝が形成され、前記押し動かし溝の中には電磁石及び前記電磁石と吸引し合う台形ブロックが設置され、前記台形ブロックの右端は前記駆動軸とネジ山によって連結されることができ、前記環状ブロックの下端面には下端が前記押し動かし溝の中に位置し、且つ前記台形ブロックと接触するプレスロッドが固定され、前記固定ブロックの中には前記駆動軸の下端に貫通される回転空間が設置され、前記回転空間の中には前記駆動軸とスライドできるように連結されるロープ巻き車輪が設置され、前記ロープ巻き車輪にはロープが巻き付いており、前記制御機構によって前記駆動機構に異なる作動をさせることで、前記発生機構が同じ動作を行うが、ヘルメットに対する異なる衝撃力を与えられ、従って、前記テスト箱の設計高度を抑えられる。
【０００８】
さらに、前記テスト機構は右方に開口したテスト空間を含み、前記テスト空間の下端壁には支えブロックが固定され、前記支えブロックの上端にはセンサーが植設され、前記支えブロックの上端にはヘルメットを取り付けることができ、前記テスト空間の中には右端が外部空間の中に位置する回しブロックが設置され、前記回しブロックの左端の中には閉鎖板が設置されている。
【０００９】
さらに、前記発生機構は昇降空間を含み、前記昇降空間の右端壁の中には前記昇降空間に連通する従動空間が設置され、前記従動空間の下端壁は前記テスト空間に連通し、前記従動空間の中には左端が前記昇降空間の中に位置する昇降板が設置され、前記昇降板の中には前記従動空間と前記昇降空間とを連通する位置制限空間が設置され、前記位置制限空間の中には位置制限ブロックが設置され、前記位置制限ブロックの下端には衝撃ブロックが設置され、前記昇降空間の中にはスライドブロック及び前記スライドブロックと前記昇降空間の右端壁を連結する昇降ばねが設置され、前記スライドブロックの右端には右端が前記昇降板の上端と連結される鎖が連結され、前記スライドブロックの中には前方に開口したスライド溝が形成され、前記スライドブロックの上側には三つのばねブロックが設置され、前記ばねブロックと前記スライドブロックとは二つの伸縮ばねによって連結され、且つ三つの前記伸縮ばねの最大の伸縮量は異なり、前記テストブロックの右端面にはディスプレイスクリーンが固定され、前記テストブロックの中にはまた下方に開口し、且つ前記テスト空間に連通する収納空間が設置され、前記閉鎖板の上端は前記収納空間の中に位置している。
【００１０】
さらに、前記駆動機構はまた右方に開口した移動空間を含み、前記昇降ブロックと前記固定ブロックの右端はいずれも前記昇降空間の中に位置し、前記移動空間の中には右端が前記昇降空間の中に位置する移動ロッドが設置され、前記移動ロッドの右端には移動ブロックが固定され、前記移動ブロックの中には後方に開口した電磁空間が設置され、前記電磁空間の前端壁には第一電磁石が固定され、前記電磁空間の中にはまた後端が前記昇降空間の中に位置する第二電磁石が設置され、前記回転空間の右端壁の中には右方に開口したばね空間が設置され、前記ばね空間の中には右端が前記昇降空間の中に位置するばねロッド及び前記ばねロッドを復帰させることができる圧縮ばねが設置され、前記ロープの右端は前記ばねロッドの左端と連結され、前記ばねロッドの右端の後側は前記スライド溝の中に位置し、且つ前記ばねロッドの右端の後側には上端が前記移動ブロックと連結される伸縮板が固定されている。
【００１１】
さらに、前記制御機構は下端が前記伝動空間を貫通し、且つ前記回転空間の中に位置する制御板を含み、前記回転空間の左端壁には前記制御板と反発し合うこと又は前記制御板と吸引し合うことができる第三電磁石が固定され、前記制御板の中には右方に開口した平行移動空間が設置され、前記平行移動空間の中には右端が前記ロープ巻き車輪の左端と噛み合うことができるラックブロックが設置され、前記平行移動空間の上端壁の中には持ち上げ空間が設置され、前記ラックブロックと前記平行移動空間の後端壁とは平行移動ばねによって連結され、前記ラックブロックの中には上方に開口した位置制限溝が形成され、前記持ち上げ空間の中には持ち上げ板が設置され、前記持ち上げ板の下端面には下端が前記位置制限溝の中に位置する持ち上げブロックが固定され、前記ラックブロックの前端には制限板が固定され、前記持ち上げ空間の上端壁の中には上方に開口し、且つ右端壁が前記駆動空間及び前記伝動空間に連通する制限空間が設置され、前記制限空間の中には制限ブロックが設置され、前記制限ブロックの下端には下端が前記ラックブロックの後端と連結される弾性縄が固定され、前記制限ブロックの下端にはまた下端が前記持ち上げ板と連結される細紐が固定され、前記制限ブロックの右端面には右端が前記伝動空間の中に位置する台形板が固定されている。
【００１２】
さらに、前記弾性縄の弾力と前記圧縮ばねの弾力との和は前記ロープ巻き車輪と前記駆動軸との摩擦力より遥かに大きい。
【００１３】
さらに、前記ロープ巻き車輪と前記駆動軸との摩擦力は前記圧縮ばねの弾力より遥かに大きい。
【００１４】
さらに、前記伸縮ばねは引き伸ばされた後、前記ばねロッドと前記スライドブロックとの摩擦力は前記スライドブロックと前記昇降空間の下端壁との摩擦力と前記昇降ばねの弾力との和より遥かに大きく、前記昇降ばねの弾力は前記スライドブロックと前記昇降空間の下端壁との摩擦力と、前記昇降板の重力と、前記位置制限ブロックの重力と、前記衝撃ブロックの重力との和より遥かに大きい。
【発明の効果】
【００１５】
本発明の有益な効果は：本発明の装置は構成が簡単で、操作が便利であり、装置は異なるばねを引き伸ばすのを制御することで、衝撃ブロックに異なるプッシュ力をつけ、それによって衝撃ブロックは異なる高さで異なる初期速度を得られ、こうしてヘルメットに異なる衝撃力を与え、伝統的なヘルメットに対する安全性能のテストと比べ、本発明のテスト装置は高さが明らかに下降し、室内でテストを行うことができ、且つ機械的な伝動によって自動化テストを実現でき、テストの効率を高める。
【図面の簡単な説明】
【００１６】
説明しやすいために、本発明を下記の具体的な実施例及び附図をもって詳しく説明する。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明実施例の構成概略図
【図２】図２は本発明実施例のＡ―Ａの構成概略図
【図３】図３は本発明実施例のＢ―Ｂの構成概略図
【図４】図４は本発明実施例の駆動機構の部分断面の正面拡大構成概略図
【発明を実施するための形態】
【００１８】
附図１〜４に記載の安全ヘルメット性能のテスト装置を参照し、安全ヘルメット性能のテスト装置はテスト箱１を含み、前記テスト箱１の中にはテスト機構６４が設置され、前記テスト箱１の上端面にはテストブロック２２が固定され、前記テストブロック２２の中にはヘルメットに衝撃を発生させる発生機構６３が設置され、前記テストブロック２２の中には駆動空間１８が設置され、前記駆動空間１８には、前記発生機構６３の作動に動力を供給できる駆動機構６２が設置され、前記駆動空間１８の中にはまた前記駆動機構６２に異なる動力出力を発生させることを制御する制御機構６１が設置され、前記駆動機構６２はモーター１７及び前記モーター１７と伝動できるように連結される駆動軸１９を含み、前記駆動空間１８の中にはまた昇降ブロック２４及び固定ブロック２６が設置され、前記昇降ブロック２４と前記固定ブロック２６とはいずれも前記駆動軸１９の下端に貫通され、前記昇降ブロック２４の中には前記駆動軸１９に貫通される伝動空間６０が設置され、前記伝動空間６０の中には前記駆動軸１９とスライドできるように連結される軸スリーブ５２が設置され、前記軸スリーブ５２にはカム５５が固定され、前記軸スリーブ５２の上側には環状ブロック５３が設置され、且つ前記環状ブロック５３と前記軸スリーブ５２とは二つの支えばね５４によって連結され、前記軸スリーブ５２の中には押し動かし溝６５が形成され、前記押し動かし溝６５の中には電磁石４８及び前記電磁石４８と吸引し合う台形ブロック４７が設置され、前記台形ブロック４７の右端は前記駆動軸１９とネジ山によって連結されることができ、前記環状ブロック５３の下端面には下端が前記押し動かし溝６５の中に位置し、且つ前記台形ブロック４７と接触するプレスロッド５０が固定され、前記固定ブロック２６の中には前記駆動軸１９の下端に貫通される回転空間５１が設置され、前記回転空間５１の中には前記駆動軸１９とスライドできるように連結されるロープ巻き車輪６６が設置され、前記ロープ巻き車輪６６にはロープ５８が巻き付いており、前記制御機構６１によって前記駆動機構６２に異なる作動をさせることで、前記発生機構６３が同じ動作を行うが、ヘルメットに対する異なる衝撃力を与えられ、従って、前記テスト箱１の設計高度を抑えられる。
【００１９】
有益なように、前記テスト機構６４は右方に開口したテスト空間５を含み、前記テスト空間５の下端壁には支えブロック２が固定され、前記支えブロック２の上端にはセンサー３が植設され、前記支えブロック２の上端にはヘルメットを取り付けることができ、前記テスト空間５の中には右端が外部空間の中に位置する回しブロック６が設置され、前記回しブロック５の左端の中には閉鎖板７が設置されている。
【００２０】
有益なように、前記発生機構６３は昇降空間１６を含み、前記昇降空間１６の右端壁の中には前記昇降空間１６に連通する従動空間１１が設置され、前記従動空間１１の下端壁は前記テスト空間５に連通し、前記従動空間１１の中には左端が前記昇降空間１６の中に位置する昇降板１３が設置され、前記昇降板１３の中には前記従動空間１１と前記昇降空間１６とを連通する位置制限空間１５が設置され、前記位置制限空間１５の中には位置制限ブロック１２が設置され、前記位置制限ブロック１２の下端には衝撃ブロック９が設置され、前記昇降空間１６の中にはスライドブロック３１及び前記スライドブロック３１と前記昇降空間１６の右端壁を連結する昇降ばね３３が設置され、前記スライドブロック３１の右端には右端が前記昇降板１３の上端と連結される鎖１４が連結され、前記スライドブロック３１の中には前方に開口したスライド溝３０が形成され、前記スライドブロック３１の上側には三つのばねブロック２９が設置され、前記ばねブロック２９と前記スライドブロック３１とは二つの伸縮ばね３２によって連結され、且つ三つの前記伸縮ばね３２の最大の伸縮量は異なり、前記テストブロック２２の右端面にはディスプレイスクリーン１０が固定され、前記テストブロック２２の中にはまた下方に開口し、且つ前記テスト空間５に連通する収納空間８が設置され、前記閉鎖板７の上端は前記収納空間８の中に位置している。
【００２１】
有益なように、前記駆動機構６２はまた右方に開口した移動空間５６を含み、前記昇降ブロック２４と前記固定ブロック２６の右端はいずれも前記昇降空間１６の中に位置し、前記移動空間５６の中には右端が前記昇降空間１６の中に位置する移動ロッド２３が設置され、前記移動ロッド２３の右端には移動ブロック２５が固定され、前記移動ブロック２５の中には後方に開口した電磁空間４３が設置され、前記電磁空間４３の前端壁には第一電磁石４４が固定され、前記電磁空間４３の中にはまた後端が前記昇降空間１６の中に位置する第二電磁石４２が設置され、前記回転空間５１の右端壁の中には右方に開口したばね空間２８が設置され、前記ばね空間２８の中には右端が前記昇降空間１６の中に位置するばねロッド２７及び前記ばねロッド２７を復帰させることができる圧縮ばね５９が設置され、前記ロープ５８の右端は前記ばねロッド２７の左端と連結され、前記ばねロッド２７の右端の後側は前記スライド溝３０の中に位置し、且つ前記ばねロッド２７の右端の後側には上端が前記移動ブロック２５と連結される伸縮板４５が固定されている。
【００２２】
有益なように、前記制御機構６１は下端が前記伝動空間６０を貫通し、且つ前記回転空間５１の中に位置する制御板２０を含み、前記回転空間５１の左端壁には前記制御板２０と反発し合うこと又は前記制御板２０と吸引し合うことができる第三電磁石４６が固定され、前記制御板２０の中には右方に開口した平行移動空間３６が設置され、前記平行移動空間３６の中には右端が前記ロープ巻き車輪６６の左端と噛み合うことができるラックブロック８０が設置され、前記平行移動空間３６の上端壁の中には持ち上げ空間４０が設置され、前記ラックブロック８０と前記平行移動空間３６の後端壁とは平行移動ばね３８によって連結され、前記ラックブロック８０の中には上方に開口した位置制限溝３５が形成され、前記持ち上げ空間４の中には持ち上げ板４１が設置され、前記持ち上げ板４１の下端面には下端が前記位置制限溝３５の中に位置する持ち上げブロック６７が固定され、前記ラックブロック８０の前端には制限板７０が固定され、前記持ち上げ空間４０の上端壁の中には上方に開口し、且つ右端壁が前記駆動空間１８及び前記伝動空間６０に連通する制限空間２１が設置され、前記制限空間２１の中には制限ブロック３４が設置され、前記制限ブロック３４の下端には下端が前記ラックブロック８０の後端と連結される弾性縄３７が固定され、前記制限ブロック３４の下端にはまた下端が前記持ち上げ板４１と連結される細紐３９が固定され、前記制限ブロック３４の右端面には右端が前記伝動空間６０の中に位置する台形板４９が固定されている。
【００２３】
装置全体の機械動作の順序は：
【００２４】
１：上方へ回しブロック６を持ち上げ、それによって閉鎖板７は上方に運動し、ヘルメットを支えブロック２の上側に取り付け、モーター１７は作動して駆動軸１９を回転連動させ、それによってロープ巻き車輪６６を回転連動させ、それによってロープ５８を緩め、それによってばねロッド２７は圧縮ばね５９の作用のもとで右方に運動し、移動ブロック２５が一つのばねブロック２９の前側に運動するまでばねロッド２７は圧縮ばね５９の作用のもとで右方に運動することを停止し、この時、第一電磁石４４と第二電磁石４２とは反発し合い、それによって第二電磁石４２の後端はばねブロック２９とスライドブロック３１との間に位置し、モーター１７は作動を停止する。
【００２５】
２：この時、第三電磁石４６は作動して制御板２０を右方に運動させ、それによってラックブロック８０の右端がロープ巻き車輪６６の左端と噛み合い、前記ロープ巻き車輪６６の回転を制限し、台形板４９は右方に運動して環状ブロック５３を下方に運動連動させ、それによってプレスロッド５０が下方に運動して台形ブロック４７を右方に運動させ、それによって台形ブロック４７の右端は駆動軸１９とネジ山によって連結され、この時にモーター１７は再び作動して駆動軸１９を回転連動させ、ロープ巻き車輪６６はラックブロック８０の制限で回転できなく、台形ブロック４７は駆動軸１９の連動によって軸スリーブ５２を運動連動させ、カム５５が制御板２０と接触した後、台形ブロック４７は駆動軸１９の連動によって上方に運動し、それによって昇降ブロック２４と、台形板４９と、制限ブロック３４とを上方に運動連動させ、それによって移動ロッド２３は上方に運動し、それによって移動ブロック２５を上方に運動連動させ、それによって第二電磁石４２はばねブロック２９を上方に運動させ、それによって二本の伸縮ばね３２が引き伸ばされる。
【００２６】
３：制限ブロック３４が上方に運動することで弾性縄３７は引き伸ばされ、且つ制限ブロック３４とともに次第に上方へ運動し、細紐３９は次第に引き締められ、昇降ブロック２４は一番上側に上昇した時、モーター４７は作動を停止し、ばねブロック２９と位置制限空間１５とは同じレベルに位置し、且つ細紐３９は引き締められ、また持ち上げ板４１を上方に運動連動させ、それによって持ち上げブロック６７は位置制限溝３５から離れ、この時、弾性縄３７が復帰してラックブロック８０を後方に運動連動させ、それによってロープ巻き車輪６６を回転連動させてロープ５８を緩め、それによってばねロッド２７が右方に運動してスライドブロック３１を右方に運動連動させ、昇降ばね３３を圧縮し、鎖１４を緩め、且つばねブロック２９を右方に運動させ、それによって持ち上げられたばねブロック２９の右端が位置制限空間１５の中に入る。
【００２７】
４：この時、第三電磁石４６は作動して制御板２０を復帰させ、それによって台形板４９を左方に運動させ、それによって環状ブロック５３は支えばね５４の作用のもとで復帰し、それによってプレスロッド５０は復帰し、それによって台形ブロック４７は復帰し、且つ駆動軸１９から離れ、それによって昇降ブロック２４と移動ロッド２３とは二つの伸縮ばね３２の作用のもとで下降復帰し、且つ昇降板１３と、位置制限ブロック１２と、衝撃ブロック９とを下降連動させ、それによって衝撃ブロック９の下端はヘルメットの上端を衝撃し、テストを行い、センサーでテストの情況を記録し、データーをディスプレイスクリーン１０に伝送する。
【００２８】
５：弾性縄３７は復帰し、細紐３９は改めて緩めた状態になり、それによってラックブロック８０は平行移動ばね３８の作用のもとで復帰し、位置制限溝３５は再び持ち上げブロック６７の下側に位置した時、持ち上げブロック６７は再び位置制限溝３５の中に入り、ばねブロック２９と伸縮ばね３２とは復帰した後、伸縮ばね３２はスライドブロック３１をばねロッド２７と密着させなくなり、それによってスライドブロック３１は昇降ばね３３の作用のもとで復帰し、鎖１４の伝動によって昇降板１３と、位置制限ブロック１２と、衝撃ブロック９とが復帰し、モーター１７は再び作動して駆動軸１９を回転させ、それによってロープ巻き車輪６６を制御して回転させ、それによってロープ５８を引き締め、それによってばねロッド２７は復帰し、装置の復帰を完成する。
【００２９】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本発明は安全ヘルメット性能のテスト装置を開示した。
【解決手段】
テスト箱を含み、前記テスト箱の中にはテスト機構が設置され、前記テスト箱の上端面にはテストブロックが固定され、前記テストブロックの中にはヘルメットに衝撃を発生させる発生機構が設置され、前記テストブロックの中には駆動空間が設置され、前記駆動空間の中には前記発生機構の作動を駆動する駆動機構が設置され、本発明のテスト装置は高さが明らかに下降し、室内でテストを行うことができ、且つ機械的な伝動によって自動化テストを実現でき、テストの効率を高める。
【選択図】図１【図１】
0006802425.tif 000002
【図２】
0006802425.tif 000003
【図３】
0006802425.tif 000004
【図４】
0006802425.tif 000005